【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
第１の乗車券及びこの第１の乗車券より大きい第２の乗車券が投入可能な投入口部と、
この投入口部に投入された乗車券を搬送する第１の搬送手段と、
この第１の搬送手段によって搬送される乗車券に磁気処理を施す磁気処理部と、
前記第１の搬送手段に設けられ、前記磁気処理部から搬出されてくる第１の乗車券を選択的に一時的に停止させて保留する第１の停止手段と、
この第１の停止手段と前記磁気処理部の搬出側との間から分岐し、前記磁気処理部から搬出される乗車券を選択的に導入させて前記磁気処理部の搬入側に搬送する第２の搬送手段と、
この第２の搬送手段に設けられ、該第２の搬送手段によって搬送されてくる乗車券を一時的に停止させて保留する第２の停止手段と、
前記第１の停止手段と前記磁気処理部の搬出側との間から分岐し、前記磁気処理部から搬出される乗車券を選択的に導入させ、前記第１の停止手段をバイパスして該第１の停止手段の下流側の前記第１の搬送手段に乗車券を搬送する第３の搬送手段と、
前記第１の搬送手段から搬出される乗車券が第２の乗車券、第１の乗車券の順になるように前記第１及び第２の停止手段を制御する制御手段と、
前記第１の搬送手段から排出される第１、第２の乗車券を重ねた状態で集積し排出する排出部と、
を具備することを特徴とする自動改札装置。
【請求項２】
第１の乗車券及びこの第１の乗車券より大きい第２の乗車券が投入可能な投入口部と、
この投入口部に投入された乗車券を搬送する第１の搬送手段と、
この第１の搬送手段によって搬送される乗車券に磁気処理を施す磁気処理部と、
前記第１の搬送手段に設けられ、前記磁気処理部から搬出されてくる第１の乗車券を選択的に一時的に停止させて保留する第１の停止手段と、
この第１の停止手段と前記磁気処理部の搬出側との間から分岐し、前記磁気処理部から搬出される乗車券を選択的に導入させて前記磁気処理部の搬入側に搬送する第２の搬送手段と、
この第２の搬送手段に配設され、該第２の搬送手段によって搬送されてくる乗車券を一時的に停止させて保留する第２及び第３の停止手段と、
前記第１の停止手段と前記磁気処理部の搬出側との間から分岐し、前記磁気処理部から搬出される乗車券を選択的に導入させて前記第１の停止手段をバイパスしてこの第１の停止手段の下流側の前記第１の搬送手段に乗車券を搬送する第３の搬送手段と、
前記第１の搬送手段から搬出される乗車券が第２の乗車券、第１の乗車券の順になるように前記第１乃至第３の停止手段を制御する制御手段と、
この第１の搬送手段から排出される第１、第２の乗車券を重ねた状態で集積し排出する排出部と、
を具備することを特徴とする自動改札装置。
【請求項３】
第１の乗車券及びこの第１の乗車券より大きい第２の乗車券が投入可能な投入口部と、
この投入口部に投入された乗車券を搬送する第１の搬送手段と、
この第１の搬送手段によって搬送される乗車券に磁気処理を施す磁気処理部と、
前記第１の搬送手段に設けられ、前記磁気処理部から搬出されてくる第１の乗車券を選択的に一時的に停止させて保留する第１の停止手段と、
この第１の停止手段と前記磁気処理部の搬出側との間に設けられ、前記磁気処理部から搬出されてくる乗車券の搬送方向を選択的に切り替える切替手段と、
この切替手段により搬送方向が切り替えられた乗車券を前記磁気処理部の搬入側に搬送する第２の搬送手段と、
この第２の搬送手段に配設され、該第２の搬送手段によって搬送されてくる乗車券を一時的に停止させて保留する第２及び第３の停止手段と、
前記切替手段により搬送方向が切り替えられた乗車券を前記第１の停止手段をバイパスしてこの第１の停止手段の下流側の前記第１の搬送手段に乗車券を搬送する第３の搬送手段と、
前記第１の搬送手段から搬出される乗車券が第２の乗車券、第１の乗車券の順になるように前記切替手段及び前記第１乃至第３の停止手段を制御する制御手段と、
前記第１の搬送手段から搬出される第１、第２の乗車券を重ねた状態で集積し排出する排出部と、
を具備することを特徴とする自動改札装置。
【請求項４】
第１の乗車券及びこの第１の乗車券より大きい第２の乗車券が投入可能な投入口部と、
この投入口部に投入された乗車券を搬送する第１の搬送手段と、
この第１の搬送手段によって搬送される乗車券に磁気処理を施す磁気処理部と、
前記第１の搬送手段に設けられ、前記磁気処理部から搬出されてくる第１の乗車券を選択的に一時的に停止させて保留する第１の停止手段と、
この第１の停止手段と前記磁気処理部の搬出側との間に設けられ、前記磁気処理部から搬出されてくる乗車券の搬送方向を選択的に切り替える第１の切替手段と、
この第１の切替手段により搬送方向が切り替えられた乗車券を前記磁気処理部の搬入側に搬送する第２の搬送手段と、
この第２の搬送手段に配設され、前記第２の搬送手段によって搬送されてくる乗車券を一時的に停止させて保留させる第２及び第３の停止手段と、
前記第１の切替手段により搬送方向が切り替えられて前記第２の搬送手段によって搬送されてくる乗車券の搬送方向を前記第２及び第３の停止手段の搬入側で切り替える第２の切替手段と、
この第２の切替手段により搬送方向が切り替えられた乗車券を前記第１の停止手段をバイパスしてこの停止手段の下流側の前記第１の搬送手段に乗車券を搬送する第３の搬送手段と、
前記第１の搬送手段から搬出される乗車券が第２の乗車券、第１の乗車券の順になるように前記第１及び第２の切替手段さらに前記第１乃至第３の停止手段を制御する制御手段と、前記第１の搬送手段から搬出される第１、第２の乗車券を重ねた状態で集積し排出する排出部と、
を具備することを特徴とする自動改札装置。
【請求項５】
第１の乗車券及びこの第１の乗車券より大きい第２の乗車券が投入される投入工程と、
この投入工程により投入された乗車券を搬送する第１の搬送工程と、
この第１の搬送工程によって搬送される乗車券に磁気処理部で磁気処理を施す磁気処理工程と、
前記磁気処理部から搬出されてくる第１の乗車券を第１の停止手段により選択的に一時的に停止させて保留する第１の停止工程と、
前記磁気処理部から搬出される乗車券を選択的に導入させて前記磁気処理部の搬入側に搬送する第２の搬送工程と、
この第２の搬送工程により搬送されてくる乗車券を第２の停止手段により一時的に停止させて保留する第２の停止工程と、
前記磁気処理部から搬出される乗車券を選択的に導入させ、前記第１の停止手段をバイパスして搬送する第３の搬送工程と、
前記第１の搬送工程により搬出される乗車券が第２の乗車券、第１の乗車券の順になるように前記第１及び第２の停止手段を制御する制御工程と、
前記第１の搬送工程により排出される第１、第２の乗車券を重ねた状態で集積し排出する排出工程と、
を具備することを特徴とする自動改札方法。
【請求項６】
第１の乗車券及びこの第１の乗車券より大きい第２の乗車券が投入される投入工程と、
この投入工程により投入された乗車券を搬送する第１の搬送工程と、
この第１の搬送工程によって搬送される乗車券に磁気処理部によって磁気処理を施す磁気処理工程と、
前記磁気処理部から搬出されてくる第１の乗車券を第１の停止手段により選択的に一時的に停止させて保留する第１の停止工程と、
前記磁気処理部から搬出される乗車券を選択的に導入させて前記磁気処理部の搬入側に搬送する第２の搬送工程と、
この第２の搬送工程によって搬送されてくる乗車券を第２及び第３の停止手段によって一時的に停止させて保留する第２及び第３の停止工程と、
前記磁気処理部から搬出される乗車券を選択的に導入させて前記第１の停止手段をバイパスして搬送する第３の搬送工程と、
前記第１の搬送工程から搬出される乗車券が第２の乗車券、第１の乗車券の順になるように前記第１乃至第３の停止手段を制御する制御工程と、
前記第１の搬送工程から排出される第１、第２の乗車券を重ねた状態で集積し排出する排出工程と、
を具備することを特徴とする自動改札方法。
【請求項７】
第１の乗車券及びこの第１の乗車券より大きい第２の乗車券が投入される投入工程と、
この投入工程により投入された乗車券を搬送する第１の搬送工程と、
この第１の搬送工程によって搬送される乗車券に磁気処理部で磁気処理を施す磁気処理工程と、
前記磁気処理部から搬出されてくる第１の乗車券を第１の停止手段により選択的に一時的に停止させて保留する第１の停止工程と、
前記磁気処理部から搬出されてくる乗車券の搬送方向を切替手段により選択的に切り替える切替工程と、
この切替工程により搬送方向が切り替えられた乗車券を前記磁気処理部の搬入側に搬送する第２の搬送工程と、
この第２の搬送工程によって搬送されてくる乗車券を第２及び第３の停止手段によって一時的に停止させて保留する第２及び第３の停止工程と、
前記切替工程により搬送方向が切り替えられた乗車券を前記第１の停止手段をバイパスして搬送する第３の搬送工程と、
前記第１の搬送工程から搬出される乗車券が第２の乗車券、第１の乗車券の順になるように前記切替手段及び前記第１乃至第３の停止手段を制御する制御工程と、
前記第１の搬送手段から搬出される第１、第２の乗車券を重ねた状態で集積し排出する排出工程と、
を具備することを特徴とする自動改札方法。
【請求項８】
第１の乗車券及びこの第１の乗車券より大きい第２の乗車券が投入される投入工程と、
この投入工程により投入された乗車券を搬送する第１の搬送工程と、
この第１の搬送工程によって搬送される乗車券に磁気処理部で磁気処理を施す磁気処理工程と、
前記磁気処理部から搬出されてくる第１の乗車券を第１の停止手段により選択的に一時的に停止させて保留する第１の停止工程と、
前記磁気処理部から搬出されてくる乗車券の搬送方向を第１の切替手段により選択的に切り替える第１の切替工程と、
この第１の切替工程により搬送方向が切り替えられた乗車券を前記磁気処理部の搬入側に搬送する第２の搬送工程と、
この第２の搬送手段によって搬送されてくる乗車券を第２及び第３の停止手段により一時的に停止させて保留させる第２及び第３の停止工程と、
前記第１の切替工程により搬送方向が切り替えられて前記第２の搬送工程によって搬送されてくる乗車券の搬送方向を前記第２及び第３の停止手段の搬入側で切り替える第２の切替工程と、
この第２の切替工程により搬送方向が切り替えられた乗車券を前記第１の停止手段をバイパスして搬送する第３の搬送工程と、
前記第１の搬送工程から搬出される乗車券が第２の乗車券、第１の乗車券の順になるように前記第１及び第２の切替手段さらに前記第１乃至第３の停止手段を制御する制御工程と、
前記第１の搬送工程から搬出される第１、第２の乗車券を重ねた状態で集積し排出する排出部と、
を具備することを特徴とする自動改札方法。
【手続補正２】
【補正対象書類名】明細書
【補正対象項目名】０００８
【補正方法】変更
【補正の内容】
【０００８】
【課題を解決するための手段】
本発明は上記課題を解決するため、請求項１記載のものは、第１の乗車券及びこの第１の乗車券より大きい第２の乗車券が投入可能な投入口部と、この投入口部に投入された乗車券を搬送する第１の搬送手段と、この第１の搬送手段によって搬送される乗車券に磁気処理を施す磁気処理部と、前記第１の搬送手段に設けられ、前記磁気処理部から搬出されてくる第１の乗車券を選択的に一時的に停止させて保留する第１の停止手段と、この第１の停止手段と前記磁気処理部の搬出側との間から分岐し、前記磁気処理部から搬出される乗車券を選択的に導入させて前記磁気処理部の搬入側に搬送する第２の搬送手段と、この第２の搬送手段に設けられ、該第２の搬送手段によって搬送されてくる乗車券を一時的に停止させて保留する第２の停止手段と、前記第１の停止手段と前記磁気処理部の搬出側との間から分岐し、前記磁気処理部から搬出される乗車券を選択的に導入させ、前記第１の停止手段をバイパスして該第１の停止手段の下流側の前記第１の搬送手段に乗車券を搬送する第３の搬送手段と、前記第１の搬送手段から搬出される乗車券が第２の乗車券、第１の乗車券の順になるように前記第１及び第２の停止手段を制御する制御手段と、前記第１の搬送手段から排出される第１、第２の乗車券を重ねた状態で集積し排出する排出部と、
を具備することを特徴とする。
【手続補正３】
【補正対象書類名】明細書
【補正対象項目名】０００９
【補正方法】変更
【補正の内容】
【０００９】
請求項２記載のものは、第１の乗車券及びこの第１の乗車券より大きい第２の乗車券が投入可能な投入口部と、この投入口部に投入された乗車券を搬送する第１の搬送手段と、この第１の搬送手段によって搬送される乗車券に磁気処理を施す磁気処理部と、前記第１の搬送手段に設けられ、前記磁気処理部から搬出されてくる第１の乗車券を選択的に一時的に停止させて保留する第１の停止手段と、この第１の停止手段と前記磁気処理部の搬出側との間から分岐し、前記磁気処理部から搬出される乗車券を選択的に導入させて前記磁気処理部の搬入側に搬送する第２の搬送手段と、この第２の搬送手段に配設され、該第２の搬送手段によって搬送されてくる乗車券を一時的に停止させて保留する第２及び第３の停止手段と、前記第１の停止手段と前記磁気処理部の搬出側との間から分岐し、前記磁気処理部から搬出される乗車券を選択的に導入させて前記第１の停止手段をバイパスしてこの第１の停止手段の下流側の前記第１の搬送手段に乗車券を搬送する第３の搬送手段と、前記第１の搬送手段から搬出される乗車券が第２の乗車券、第１の乗車券の順になるように前記第１乃至第３の停止手段を制御する制御手段と、この第１の搬送手段から排出される第１、第２の乗車券を重ねた状態で集積し排出する排出部と具備することを特徴とする。
【手続補正４】
【補正対象書類名】明細書
【補正対象項目名】００１０
【補正方法】変更
【補正の内容】
【００１０】
請求項３記載のものは、第１の乗車券及びこの第１の乗車券より大きい第２の乗車券が投入可能な投入口部と、この投入口部に投入された乗車券を搬送する第１の搬送手段と、この第１の搬送手段によって搬送される乗車券に磁気処理を施す磁気処理部と、前記第１の搬送手段に設けられ、前記磁気処理部から搬出されてくる第１の乗車券を選択的に一時的に停止させて保留する第１の停止手段と、この第１の停止手段と前記磁気処理部の搬出側との間に設けられ、前記磁気処理部から搬出されてくる乗車券の搬送方向を選択的に切り替える切替手段と、この切替手段により搬送方向が切り替えられた乗車券を前記磁気処理部の搬入側に搬送する第２の搬送手段と、この第２の搬送手段に配設され、該第２の搬送手段によって搬送されてくる乗車券を一時的に停止させて保留する第２及び第３の停止手段と、前記切替手段により搬送方向が切り替えられた乗車券を前記第１の停止手段をバイパスしてこの第１の停止手段の下流側の前記第１の搬送手段に乗車券を搬送する第３の搬送手段と、前記第１の搬送手段から搬出される乗車券が第２の乗車券、第１の乗車券の順になるように前記切替手段及び前記第１乃至第３の停止手段を制御する制御手段と、前記第１の搬送手段から搬出される第１、第２の乗車券を重ねた状態で集積し排出する排出部とを具備することを特徴とする。
【手続補正５】
【補正対象書類名】明細書
【補正対象項目名】００１１
【補正方法】変更
【補正の内容】
【００１１】
請求項４記載のものは、第１の乗車券及びこの第１の乗車券より大きい第２の乗車券が投入可能な投入口部と、この投入口部に投入された乗車券を搬送する第１の搬送手段と、この第１の搬送手段によって搬送される乗車券に磁気処理を施す磁気処理部と、前記第１の搬送手段に設けられ、前記磁気処理部から搬出されてくる第１の乗車券を選択的に一時的に停止させて保留する第１の停止手段と、この第１の停止手段と前記磁気処理部の搬出側との間に設けられ、前記磁気処理部から搬出されてくる乗車券の搬送方向を選択的に切り替える第１の切替手段と、この第１の切替手段により搬送方向が切り替えられた乗車券を前記磁気処理部の搬入側に搬送する第２の搬送手段と、この第２の搬送手段に配設され、前記第２の搬送手段によって搬送されてくる乗車券を一時的に停止させて保留させる第２及び第３の停止手段と、前記第１の切替手段により搬送方向が切り替えられて前記第２の搬送手段によって搬送されてくる乗車券の搬送方向を前記第２及び第３の停止手段の搬入側で切り替える第２の切替手段と、この第２の切替手段により搬送方向が切り替えられた乗車券を前記第１の停止手段をバイパスしてこの停止手段の下流側の前記第１の搬送手段に乗車券を搬送する第３の搬送手段と、前記第１の搬送手段から搬出される乗車券が第２の乗車券、第１の乗車券の順になるように前記第１及び第２の切替手段さらに前記第１乃至第３の停止手段を制御する制御手段と、前記第１の搬送手段から搬出される第１、第２の乗車券を重ねた状態で集積し排出する排出部とを具備することを特徴とする。
【手続補正６】
【補正対象書類名】明細書
【補正対象項目名】００１２
【補正方法】変更
【補正の内容】
【００１２】
請求項５記載のものは、第１の乗車券及びこの第１の乗車券より大きい第２の乗車券が投入される投入工程と、この投入工程により投入された乗車券を搬送する第１の搬送工程と、この第１の搬送工程によって搬送される乗車券に磁気処理部で磁気処理を施す磁気処理工程と、前記磁気処理部から搬出されてくる第１の乗車券を第１の停止手段により選択的に一時的に停止させて保留する第１の停止工程と、前記磁気処理部から搬出される乗車券を選択的に導入させて前記磁気処理部の搬入側に搬送する第２の搬送工程と、この第２の搬送工程により搬送されてくる乗車券を第２の停止手段により一時的に停止させて保留する第２の停止工程と、前記磁気処理部から搬出される乗車券を選択的に導入させ、前記第１の停止手段をバイパスして搬送する第３の搬送工程と、前記第１の搬送工程により搬出される乗車券が第２の乗車券、第１の乗車券の順になるように前記第１及び第２の停止手段を制御する制御工程と、前記第１の搬送工程により排出される第１、第２の乗車券を重ねた状態で集積し排出する排出工程と具備することを特徴とする。
【手続補正７】
【補正対象書類名】明細書
【補正対象項目名】００１３
【補正方法】変更
【補正の内容】
【００１３】
請求項６記載のものは、第１の乗車券及びこの第１の乗車券より大きい第２の乗車券が投入される投入工程と、この投入工程により投入された乗車券を搬送する第１の搬送工程と、この第１の搬送工程によって搬送される乗車券に磁気処理部によって磁気処理を施す磁気処理工程と、前記磁気処理部から搬出されてくる第１の乗車券を第１の停止手段により選択的に一時的に停止させて保留する第１の停止工程と、前記磁気処理部から搬出される乗車券を選択的に導入させて前記磁気処理部の搬入側に搬送する第２の搬送工程と、この第２の搬送工程によって搬送されてくる乗車券を第２及び第３の停止手段によって一時的に停止させて保留する第２及び第３の停止工程と、前記磁気処理部から搬出される乗車券を選択的に導入させて前記第１の停止手段をバイパスして搬送する第３の搬送工程と、
前記第１の搬送工程から搬出される乗車券が第２の乗車券、第１の乗車券の順になるように前記第１乃至第３の停止手段を制御する制御工程と、前記第１の搬送工程から排出される第１、第２の乗車券を重ねた状態で集積し排出する排出工程とを具備することを特徴とする。
【手続補正８】
【補正対象書類名】明細書
【補正対象項目名】００１４
【補正方法】変更
【補正の内容】
【００１４】
請求項７記載のものは、第１の乗車券及びこの第１の乗車券より大きい第２の乗車券が投入される投入工程と、この投入工程により投入された乗車券を搬送する第１の搬送工程と、この第１の搬送工程によって搬送される乗車券に磁気処理部で磁気処理を施す磁気処理工程と、前記磁気処理部から搬出されてくる第１の乗車券を第１の停止手段により選択的に一時的に停止させて保留する第１の停止工程と、前記磁気処理部から搬出されてくる乗車券の搬送方向を切替手段により選択的に切り替える切替工程と、この切替工程により搬送方向が切り替えられた乗車券を前記磁気処理部の搬入側に搬送する第２の搬送工程と、この第２の搬送工程によって搬送されてくる乗車券を第２及び第３の停止手段によって一時的に停止させて保留する第２及び第３の停止工程と、前記切替工程により搬送方向が切り替えられた乗車券を前記第１の停止手段をバイパスして搬送する第３の搬送工程と、前記第１の搬送工程から搬出される乗車券が第２の乗車券、第１の乗車券の順になるように前記切替手段及び前記第１乃至第３の停止手段を制御する制御工程と、前記第１の搬送手段から搬出される第１、第２の乗車券を重ねた状態で集積し排出する排出工程とを具備することを特徴とする。
【手続補正９】
【補正対象書類名】明細書
【補正対象項目名】００１５
【補正方法】変更
【補正の内容】
【００１５】
請求項８記載のものは、第１の乗車券及びこの第１の乗車券より大きい第２の乗車券が投入される投入工程と、この投入工程により投入された乗車券を搬送する第１の搬送工程と、この第１の搬送工程によって搬送される乗車券に磁気処理部で磁気処理を施す磁気処理工程と、前記磁気処理部から搬出されてくる第１の乗車券を第１の停止手段により選択的に一時的に停止させて保留する第１の停止工程と、前記磁気処理部から搬出されてくる乗車券の搬送方向を第１の切替手段により選択的に切り替える第１の切替工程と、この第１の切替工程により搬送方向が切り替えられた乗車券を前記磁気処理部の搬入側に搬送する第２の搬送工程と、この第２の搬送手段によって搬送されてくる乗車券を第２及び第３の停止手段により一時的に停止させて保留させる第２及び第３の停止工程と、前記第１の切替工程により搬送方向が切り替えられて前記第２の搬送工程によって搬送されてくる乗車券の搬送方向を前記第２及び第３の停止手段の搬入側で切り替える第２の切替工程と、この第２の切替工程により搬送方向が切り替えられた乗車券を前記第１の停止手段をバイパスして搬送する第３の搬送工程と、前記第１の搬送工程から搬出される乗車券が第２の乗車券、第１の乗車券の順になるように前記第１及び第２の切替手段さらに前記第１乃至第３の停止手段を制御する制御工程と、前記第１の搬送工程から搬出される第１、第２の乗車券を重ねた状態で集積し排出する排出部とを具備することを特徴とする。